(57)【特許請求の範囲】
【請求項１】
錠を備える扉に、前記錠を開閉するためのサムターンが埋設されたノブが設けてあり、該ノブに取り付けて前記錠を開閉させる錠用装置であって、
前記ノブに固定される筐体と、該筐体に内蔵され、前記サムターンを構成する摘み部に係合する係合部と、該係合部を正逆回動させる駆動部と、該駆動部の回動動作を制御する制御部と、制御部及び前記駆動部に給電する電源部と、無線の信号を受信する受信部とを備えており、
前記制御部は、前記受信部によって受信された信号に予め設定された識別情報が含まれている場合、前記駆動部にて係合部を前記錠が開く方向へ回動させる開錠手段と、その後、識別情報が含まれる信号が受信部によって受信されなくなった場合、前記駆動部にて係合部を前記錠が閉まる方向へ回動させる施錠手段とを具備する
ことを特徴とする錠用装置。
【請求項２】
前記電源部と駆動部との間に、電源部から駆動部への給電を制御する給電制御部を更に備えており、
前記制御部は、前記施錠手段が作動した後に、給電制御部に電源部から駆動部への給電を停止させる給電停止手段を具備する
請求項１記載の錠用装置。
【請求項３】
前記筐体の適宜位置には、開錠信号を出力する開錠用ボタンが設けてあり、
前記制御部は、開錠用ボタンから開錠信号が与えられた場合、前記駆動部にて係合部を前記錠が開く方向へ回動させる第２開錠手段を具備する
請求項１又は２記載の錠用装置。
【請求項４】
前記筐体の適宜位置には、施錠信号を出力する施錠用ボタンが設けてあり、
前記制御部は、施錠用ボタンから施錠信号が与えられた場合、駆動部にて係合部を前記錠が閉まる方向へ回動させる第２施錠手段を具備する
請求項３記載の錠用装置。
【請求項５】
前記制御部は、前記第２施錠手段が作動した場合、第２開錠手段が作動するまで、施錠状態を維持するようになしてある請求項４記載の錠用装置。
【請求項６】
警報を出力する警報部を更に備え、
前記制御部は、前記識別情報を含む信号が前記受信部によって受信されてから所定時間の間、当該信号が受信され続けた場合、前記警報部を作動させるようになっている
請求項１から５のいずれかに記載の錠用装置。
【請求項７】
前記筐体は、前記ノブに外嵌されてこれに取付けられる筒状の取付け部、及び使用者が操作するハンドル部を具備しており、
前記取付け部の中心軸と前記ハンドル部の中心軸とは略直交するようになしてある
請求項１から６のいずれかに記載の錠用装置。
【請求項８】
予め設定される識別情報を含む信号を発信する携帯用の発信器と、請求項１から７のいずれかに記載の錠用装置とを備えることを特徴とする錠用装置セット。
【発明の詳細な説明】
【技術分野】
【０００１】
本発明は、サムターンを備える錠を開閉させるために用いる錠用装置、及び該錠用装置を備える錠用装置セットに関する。
【背景技術】
【０００２】
マンション及び戸建住宅にあっては玄関の扉にサムターンを備える錠が配設してある場合が多数存在するが、玄関扉の施錠はほとんどの場合、鍵穴に差し込んだキーを手動にて回転させることによって行われるようになっている。このように施錠を手動で行う玄関扉にあっては、使用者が外出する際に施錠忘れが発生することがあり、防犯上大きな問題であった。
【０００３】
そのため、後記する特許文献１では、デッドボルト、該デッドボルトを進退させる進退機構、及び該進退機構を駆動させてデッドボルトを操作するサムターンを備える既存の本締錠に後付けできる次のようなオートロックアタッチメントが提案されている。
【０００４】
図１１は特許文献１に開示されたオートロックアタッチメントを説明する説明図である。
【０００５】
オートロックアタッチメントは前述した構成の本締錠１００の回動機構（図示せず）とサムターン１１０との間に介装させるシャフトと、該シャフトを駆動するモータと、モータの駆動力を前記シャフトに伝えるギアと、モータの動作を制御するＣＰＵ（いずれも図示せず）と、これらを内蔵するとともにサムターン１１０を支持する筐体２００とを備えて構成してある。筐体２００の側面には当該オートロックアタッチメントが取り付けられた扉Ｄの開閉を検出する第１センサ２０１が、また、筐体２００の正面にはオートロックアタッチメントに接近する人の手を検出する第２センサ２０２が取り付けられており、第１センサ２０１の検出信号及び第２センサ２０２の検出信号はそれぞれ前記ＣＰＵに与えられるようになっている。一方、筐体２００内には、前記ギアの回転状態を検出して本締錠の施錠・開錠を検出する第３センサが配設してあり、第３センサの検出信号もＣＰＵに与えられるようになっている。
【０００６】
このようなオートロックアタッチメントにあっては、第１センサ２０１が扉閉の検出信号を出力している状態で、第２センサ２０２が人の手を検出した場合、ＣＰＵはモータを開方向へ駆動させる。そして、ＣＰＵは、第３センサが予め定められた開位置を検出したときにモータの駆動を停止させる。これによって、本締錠１００は自動的に開錠される。
【０００７】
更に、ＣＰＵは、第１センサ２０１から扉Ｄの開を検出した信号が与えられた後に、扉Ｄの閉を検出した信号が与えられたとき、モータを閉方向へ駆動させ、第３センサが予め定められた閉位置を検出したときにモータの駆動を停止させる。これによって、本締錠１００は自動的に施錠されるため、使用者が外出する際に施錠忘れを防止することができる。
【０００８】
かかるオートロックアタッチメントを扉Ｄに取り付けるには、本締錠１００からサムターン１１０を取り外した後、当該扉Ｄのサムターン１１０が取り付けられていた周囲に筐体２００を固着させるとともに、オートロックアタッチメントのシャフトの一端を本締錠１００の回動機構に係合させる。そして、サムターン１１０をオートロックアタッチメントの所定位置に嵌合支持させるとともに、前記シャフトの他端に連結させる。
【先行技術文献】
【特許文献】
【０００９】
【特許文献１】実用新案登録第３０８９４９９号公報
【発明の概要】
【発明が解決しようとする課題】
【００１０】
しかしながら、このような従来の装置にあっては、当該装置を扉Ｄに取り付けるためにサムターン１１０を本締錠１００から取り外さなければならず、当該装置を扉Ｄに取り付ける作業が複雑である。従って、そのような取付け作業に不慣れな使用者が自ら行うことが困難であった。一方、第１センサ２０１及び第２センサ２０２によって、扉Ｄの開閉状態及び人の手を検出することによってＣＰＵがモータの駆動を制御するようになしてあるため、いずれかのセンサ２０１，２０２の検知領域にヒト若しくはペット又は荷物等の障害物が存在した場合に誤動作を生じるという問題もあった。
【００１１】
本発明は斯かる事情に鑑みてなされたものであって、不慣れな者であっても容易に取り付けることができ、また誤動作を防止することができる錠用装置、及び該錠用装置を備える錠用装置セットを提供する。
【課題を解決するための手段】
【００１２】
（１）本発明に係る錠用装置は、錠を備える扉に、前記錠を開閉するためのサムターンが埋設されたノブが設けてあり、該ノブに取り付けて前記錠を開閉させる場合、前記ノブに固定される筐体と、該筐体に内蔵され、前記サムターンを構成する摘み部に係合する係合部と、該係合部を正逆回動させる駆動部と、該駆動部の回動動作を制御する制御部と、制御部及び前記駆動部に給電する電源部と、無線の信号を受信する受信部とを備えており、前記制御部は、前記受信部によって受信された信号に予め設定された識別情報が含まれている場合、前記駆動部にて係合部を前記錠が開く方向へ回動させる開錠手段と、その後、識別情報が含まれる信号が受信部によって受信されなくなった場合、前記駆動部にて係合部を前記錠が閉まる方向へ回動させる施錠手段とを具備することを特徴とする。
【００１３】
本発明の錠用装置にあっては、錠を備える扉に、前記錠を開閉するためのサムターンが埋設されたノブが設けてあり、該ノブに取り付けて前記錠を開閉させるようになしてある。すなわち、前記ノブに固定される筐体を備えており、この筐体内に、サムターンを構成する摘み部に係合する係合部と、係合部を正逆回動させる駆動部とが設けてある。前記筐体をノブに固定した場合、内蔵する係合部がサムターンの摘み部に係合するようになっている。
【００１４】
また、筐体内には、駆動部の回動動作を制御する制御部、該制御部及び前記駆動部に給電する電源部、及び、無線の信号を受信する受信部も設けてある。そして、受信部によって信号が受信された場合、制御部は、当該信号に予め設定された識別情報が含まれているか否かを判断し、識別情報が含まれている場合、開錠手段をして前記駆動部にて係合部を扉の錠が開く方向、即ち開錠する方向へ回動させる。その後、制御部は、識別情報が含まれる信号が受信部によって受信されなくなった場合、施錠手段をして、前記駆動部にて係合部を前記錠が閉まる方向、即ち施錠する方向へ回動させる。
【００１５】
このように筐体をノブに固定するだけで錠用装置をノブに取り付けることができるため、不慣れな者であっても容易に取り付け作業を行うことができる。また、識別情報が含まれる信号を受信したときに開錠手段が作動され、その後に識別情報が含まれる信号が受信されなくなったときに施錠手段が作動されるため、使用者による施錠忘れが防止されるのに加え、錠用装置の近傍に使用者若しくはペット又は荷物等の障害物が存在した場合であっても、誤動作が生じることがない。
【００１６】
（２）また、本発明に係る錠用装置は、前記電源部と駆動部との間に、電源部から駆動部への給電を制御する給電制御部を更に備えており、前記制御部は、前記施錠手段が作動した後に、給電制御部に電源部から駆動部への給電を停止させる給電停止手段を具備することを特徴とする。
【００１７】
本発明の錠用装置にあっては、電源部と駆動部との間に、電源部から駆動部への給電を制御するオン／オフスイッチ回路といった給電制御部を更に備えている。また、制御部は給電停止手段を具備しており、給電停止手段は前述した施錠手段が作動した後に、給電制御部に電源部から駆動部への給電を停止させる。
【００１８】
このように施錠手段が作動して扉が施錠された状態では駆動部への給電が停止されるため、駆動部の駆動軸は外力によって正逆回動され得る。従って、扉外側のノブに設けられた鍵穴に差し込んだ鍵を回動させる施錠及び開錠操作の実施を錠用装置が妨げない。これによって、例えば使用者が外出先に携帯用発信器を忘れてきた場合、又は携帯用発信器を紛失した場合等、使用者が携帯用発信器を携帯していない場合であっても、鍵によってノブの錠を開閉操作することができる。
【００１９】
一方、施錠状態では駆動部への給電を停止するため、電源部の電力消耗を可及的に防止することができる。
【００２０】
（３）更に、本発明に係る錠用装置は、前記筐体の適宜位置には、開錠信号を出力する開錠用ボタンが設けてあり、前記制御部は、開錠用ボタンから開錠信号が与えられた場合、前記駆動部にて係合部を前記錠が開く方向へ回動させる第２開錠手段を具備することを特徴とする。
【００２１】
本発明の錠用装置にあっては、筐体の適宜位置には、開錠信号を出力する開錠用ボタンが設けてある。一方、制御部は第２開錠手段を具備しており、第２開錠手段は前記開錠用ボタンから開錠信号が与えられた場合、駆動部にて係合部を錠が開く方向へ回動させる。ここで、開錠用ボタンとしては押しボタン式又はタッチ式等を用いることができるが、押しボタン式を適用した場合、誤操作を防止することができるため好適である。
【００２２】
このように、開錠用ボタンを使用者が操作するだけで、駆動部を作動させて開錠することができるため、火事又は地震等の発生によって室外へ緊急避難する必要がある場合に、使用者は携帯用発信器を携帯することなく開錠することができ、室外へ素早く避難することができる。
【００２３】
（４）更に、本発明に係る錠用装置は、前記筐体の適宜位置には、施錠信号を出力する施錠用ボタンが設けてあり、前記制御部は、施錠用ボタンから施錠信号が与えられた場合、駆動部にて係合部を前記錠が閉まる方向へ回動させる第２施錠手段を具備することを特徴とする。
【００２４】
本発明の錠用装置にあっては、筐体の適宜位置には、施錠信号を出力する施錠用ボタンが設けてあり、前記制御部は第２施錠手段を具備しており、第２施錠手段は施錠用ボタンから施錠信号が与えられた場合、駆動部にて係合部を前記錠が閉まる方向へ回動させる。ここで、施錠用ボタンとしては押しボタン式又はタッチ式等を用いることができるが、押しボタン式を適用した場合、誤操作を防止することができるため好適である。
【００２５】
このように、施錠用ボタンを使用者が操作するだけで、駆動部を作動させて施錠することができるため、後述するように識別信号を含む信号を発信する発信器を携帯した使用者が錠用装置の近傍に位置する場合でも施錠することができる。これによって、発信器を携帯した使用者が帰宅入室直後に強制的に施錠することができ、使用者に追従する第三者による侵入を可及的に防止することができる。
【００２６】
（５）更に、本発明に係る錠用装置は、前記制御部は、前記第２施錠手段が作動した場合、第２開錠手段が作動するまで、施錠状態を維持するようになしてあることを特徴とする。
【００２７】
本発明の錠用装置にあっては、制御部は、前述した第２施錠手段が作動した場合、第２開錠手段が作動するまで、施錠状態を維持するようになしてある。従って、この間に識別信号を含む信号を受信部が受信した場合であっても、施錠状態が維持される。
【００２８】
例えば、使用者に追従する第三者による侵入を防止するために、発信器を携帯した使用者が帰宅入室直後に施錠用ボタンを操作して強制的に施錠した後に、扉の近傍に立ちすくむ状態が続くといった場合がある。この場合、錠用装置には識別信号を含む信号が与えられ続けることになるが、施錠用ボタンが操作されて施錠された場合は、前述したように使用者によって開錠用ボタンが操作されて第２開錠手段が作動するまで、施錠状態が維持されるため、使用者の意思によらない開錠が防止され、使用者の安全が担保される。
【００２９】
（６）更に、本発明に係る錠用装置は、警報を出力する警報部を更に備え、前記制御部は、前記識別情報を含む信号が前記受信部によって受信されてから所定時間の間、当該信号が受信され続けた場合、前記警報部を作動させるようになっていることを特徴とする。
【００３０】
本発明の錠用装置にあっては、警報を出力する警報部を更に備えている。また、制御部は、識別情報を含む信号が受信部によって受信されてから所定時間の間、当該信号が受信され続けた場合、警報部を作動させて音及び／又は光によって警報を出力させる。
【００３１】
例えば、使用者が帰宅後に、錠用装置の近傍に前述した発信器を置き忘れた場合、錠用装置には識別情報を含む信号が与えられ続けるため、前述した施錠手段が作動せず、当該扉は開錠したままとなる。そのため、識別情報を含む信号が受信部によって受信されてから所定時間の間、当該信号が受信され続けた場合、警報部から警報を出力させることによって、使用者に施錠されていないことを報知することができる。
【００３２】
（７）更に、本発明に係る錠用装置は、前記筐体は、前記ノブに外嵌されてこれに取付けられる筒状の取付け部、及び使用者が操作するハンドル部を具備しており、前記取付け部の中心軸と前記ハンドル部の中心軸とは略直交するようになしてあることを特徴とする。
【００３３】
本発明の錠用装置にあっては、筐体は、扉のノブに外嵌されてこれに取付けられる筒状の取付け部、及び使用者が操作するハンドル部を具備している。このように、筒状の取付け部をノブに外嵌固定するだけで、錠用装置をノブに取り付けることができるため、不慣れな者であっても容易に取り付け作業を行うことができる。この場合、取付け部を例えば２つの部材をヒンジで結合した構成にしておくことによって、更に取付け作業を容易にすることができる。なお、筒状の取付け部を扉のノブに外嵌させるため、当該ノブに設けられたサムターンの摘み部を外部から操作することが防止され、いわゆるサムターン回しといった犯罪を阻止することができる。
【００３４】
また、取付け部の中心軸とハンドル部の中心軸とは略直交するようになしてある。例えば、取付け部とハンドル部とによってＬ字状の筐体を構成することができる。一方、筒状の取付け部の周面に棒状のハンドル部を立設して筐体を構成してもよい。
【００３５】
このように構成したハンドル部を操作することによって、取付け部を外嵌固定させたノブを梃子の原理を利用して回動させることができるため、握力が弱い者であっても容易にノブを回動させることができる。
【００３６】
（８）更に、本発明に係る錠用装置セットは、予め設定される識別情報を含む信号を発信する携帯用の発信器と、前記（１）から（７）のいずれかに記載の錠用装置とを備えることを特徴とする。
【００３７】
本発明の錠用装置セットにあっては、予め設定される識別情報を含む信号を発信する携帯用の発信器と、前記（１）から（７）のいずれかに記載の錠用装置とを備えるため、前述した各作用及び効果を奏することができる。
【図面の簡単な説明】
【００３８】
【図１】本発明に係る錠用装置を示す外観斜視図である。
【図２】図１に示した錠用装置の第１筐体部及び第２筐体部が開いた状態を示す模式的平面図である。
【図３】図１に示した錠用装置の第１筐体部及び第２筐体部が開いた状態を示す模式的正面図である。
【図４】図１に示した錠用装置の第１筐体部及び第２筐体部が開いた状態を示す模式的斜視図である。
【図５】制御器の機能を説明する機能ブロック図である。
【図６】本発明に係る錠用装置セットの使用状態を示す図面である。
【図７】図５に示したＣＰＵの制御手順を示すフローチャートである。
【図８】図５に示したＣＰＵの制御手順を示すフローチャートである。
【図９】図５に示したＣＰＵの制御手順を示すフローチャートである。
【図１０】図５に示したＣＰＵの制御手順を示すフローチャートである。
【図１１】従来のオートロックアタッチメントを説明する説明図である。
【発明を実施するための形態】
【００３９】
本発明に係る錠用装置を図面に基づいて詳述する。
なお、本実施の形態で説明する錠用装置は、本発明の趣旨を説明する一例であり、本発明はその趣旨を逸脱しない範囲での変形や改造を含むことはいうまでもない。
【００４０】
図１は本発明に係る錠用装置を示す外観斜視図であり、図中、２は外観視がＬ字円筒状の筐体である。筐体２は該筐体２の中心軸を通る平面にて二分割した第１筐体部２１及び第２筐体部２２を備えており、後述するように筐体２のＬ字短寸側は扉のノブに外嵌させる取付け部３に、また筐体２のＬ字長寸側は使用者が操作するハンドル部４になっている。筐体２の取付け部３には、第１筐体部２１と第２筐体部２２とを連結するヒンジ部が設けてあり、筐体２はヒンジ部によって第１筐体部２１と第２筐体部２２とが開閉可能に構成されている。
【００４１】
図２〜図４は、図１に示した錠用装置１の第１筐体部２１及び第２筐体部２２が開いた状態を示す模式的平面図、模式的正面図及び模式的斜視図である。なお、これら各図中、図１に示した部分に対応する部分には同じ番号が付してある。
【００４２】
図２〜図４に示したように、第１筐体部２１及び第２筐体部２２は筐体２の中心軸に直交する断面が円弧状をしており、前述したように筐体２は第１筐体部２１と第２筐体部２２との間に介装したヒンジ部Ｈによって開閉可能になっている。これら第１筐体部２１及び第２筐体部２２の前記ハンドル部４側の端には半円形の板部材が設けてあり、第１筐体部２１及び第２筐体部２２を閉じたとき、筐体２のハンドル部４の端が両板部材によって塞止されるようになっている。
【００４３】
一方、第１筐体部２１及び第２筐体部２２の前記取付け部３側の端は解放させてあり、第１筐体部２１及び第２筐体部２２の取付け部３側の端近傍の内周面には、後述するように扉のノブに外嵌固定すべく、適宜の弾性及び摩擦力を有する厚帯状の固定用部材１６，１６が第１筐体部２１及び第２筐体部２２の径方向の略全領域に亘って固着してある。
【００４４】
前述したように固定用部材１６，１６は、扉のノブに外嵌固定すべく、適宜の弾性及び摩擦力を有すればどのような材質のものであっても適用することができるが、例えばゴム材を用いることができる。一方、固定用部材１６，１６は第１筐体部２１及び第２筐体部２２の径方向のほぼ全領域に亘って設けてもよいが、第１筐体部２１及び第２筐体部２２の径方向へ適宜の間隔を隔てて複数設けてもよい。
【００４５】
第１筐体部２１の取付け部３側の部分には、ステッピングモータというように予め定めた角度領域を正逆回動するように制御される駆動部５が、その駆動軸６を取付け部３の端側へ向けて配置してあり、駆動部５は台座１０によって駆動部５の駆動軸６が筐体２の中心軸上の位置になるように固定されている。この駆動軸６の端部には後述するようにノブに設けられたサムターンの摘み部に係合させるＵ字状の係合部７が取り付けてあり、駆動部５の駆動軸６にて係合部７を正逆回動させることによって係合部７に係合した摘み部を開位置から閉位置へ又は閉位置から開位置へ回動させ得るようになっている。
【００４６】
台座１０は、第１筐体部２１の内周面に固定されるとともに駆動部５を担持する台座本体１１と、第１筐体部２１のヒンジ部Ｈ側とは逆の内周面へ第１筐体部２１から突出するように延設され、第１筐体部２１と第２筐体部２２とを閉じた際に両者を相互に固定すべく設けた固定用片１２とを備えて構成されており、固定用片１２の第１筐体部２１から突出した部分には固定用ネジＢ，Ｂが螺入されるネジ穴１２１，１２１が、筐体２の取付け部３の長手方向へ相互に距離を隔てて設けてある。
【００４７】
一方、第２筐体部２２内周面の台座１０に対向する部分には、台座本体１１に担持された駆動部５を覆うカバー部１４が取り付けてあり、カバー部１４と第２筐体部２２との間には、第１筐体部２１と第２筐体部２２とを閉じた際に前述した固定用片１２が進入するための間隙が設けてある。また、第２筐体部２２の前記ヒンジ部Ｈとは逆側の縁部には、固定用ネジＢ，Ｂを貫通させる貫通孔１２２，１２２が前述したネジ穴１２１，１２１に対応するように開設してある。
【００４８】
ところで、第１筐体部２１のハンドル部４の部分には、前述した駆動部５の動作を制御するための制御器８、並びに駆動部５及び制御器８へ給電すべくバッテリといった電源部９が設けてある。駆動部５と制御器８との間、制御器８と電源部９との間等にはそれぞれ図示しない配線が施してあり、駆動部５を駆動させるための電力は電源部９から制御器８を介して与えられるようになっている。また、制御器８は警報部８７（図５参照）を備えており、警報部８７は音及び／又は光で警報を出力する。
【００４９】
制御器８は、後述するように予め設定された識別情報を含む信号を出力する携帯用発信器４０（図６参照）から前記信号を受信したときに前記駆動部５へ開錠指令を出力し、携帯用発信器４０から前記信号を受信しない場合、駆動部５へ施錠指令を出力させるようになっている。なお、これら錠用装置１及び携帯用発信器４０にて錠用装置セットが構成されている。
【００５０】
一方、第１筐体部２１の外周面又は端面の適宜位置（図１では端面に設けた場合を示している。）には、火事又は地震等の緊急時に開錠するための開錠用ボタン１７が設けてあり、使用者によって開錠用ボタン１７が押し操作された場合、開錠用ボタン１７から制御器８へ開錠信号が与えられるようになっている。更に、第１筐体部２１の外周面又は端面の適宜位置（図１では外周面に設けた場合を示している。）には、帰宅入室直後に施錠するための施錠用ボタン１８が設けてあり、使用者によって施錠用ボタン１８が操作された場合、施錠用ボタン１８から制御器８へ施錠信号が与えられるようになっている。
【００５１】
図６は本発明に係る錠用装置セットの使用状態を示す図面である。
図６に示したように、玄関の壁Ｗには出入口９０が開設してあり、該出入口９０は壁Ｗによって開閉可能に支持された扉Ｄによって塞止されるようになっている。扉Ｄ内側の適宜位置にはノブＮが設けてあり、扉Ｄ外側の前記ノブＮに対応する位置には鍵穴を備える他のノブ（図示せず）が設けてある。扉Ｄ内側のノブＮにはサムターンが埋設してあり、該サムターンには施錠及び開錠するための摘み部Ｔが設けてある。かかるノブＮに錠用装置１が取り付けてあり、錠用装置１は携帯用発信器４０が発信する信号によって施錠及び開錠動作を行うようになっている。
【００５２】
錠用装置１のノブＮへの取り付けは次のようにしてある。
すなわち、図４に示したように固定用ネジＢ，Ｂを取り外して、第１筐体部２１及び第２筐体部２２を開いた状態にしておき、取付け部３の固定用部材１６，１６がノブＮの外周面に当接するように配置する。このとき、係合部７がサムターンの摘み部Ｔに係合していることを確認する。そして、第１筐体部２１及び第２筐体部２２を閉じた後、貫通孔１２２，１２２を貫通させた固定用ネジＢ，Ｂの先端部分を固定用片１２のネジ穴１２１，１２１に螺入させることによって、錠用装置１の取付け部３をノブＮに固定してある。これによって、不慣れな者であっても錠用装置１をノブＮに容易に取り付けることができる。
【００５３】
前述したように固定用部材１６，１６は例えばゴムというように、適宜の弾性及び摩擦力を有する厚帯状の部材で構成されているため、固定用片１２のネジ穴１２１，１２１に固定用ネジＢ，Ｂを螺入させることによって、固定用部材１６，１６をノブＮの外周面に圧着させることができ、これによって取付け部３をノブＮに固着させることができる。従って、サムターンの摘み部Ｔに係合させた係合部７を駆動部５（図４参照）によって回動させても、錠用装置１の取付け部３がノブＮの周方向へ回動することが防止され、サムターンの摘み部Ｔをこれに係合させた係合部７によって確実に正逆回動させることができる。
【００５４】
錠用装置１の制御器８（図４参照）及び携帯用発信器４０は、例えばブルートゥース（Ｂｌｕｅｔｏｏｔｈ（登録商標））といった短距離無線通信技術を用いて、相互に１〜数ｍ程度に隔てた領域内において通信し得るようになしてあり、両者は所定の識別情報によって予めペアリングしてある。従って、錠用装置１はその近傍に携帯用発信器４０が位置するときのみ、当該携帯用発信器４０からの信号を受信し得、更にペアリングされた携帯用発信器４０からの信号のみを受け付ける。
【００５５】
携帯用発信器４０を携帯した使用者が錠用装置１が取り付けられた扉Ｄの近傍に接近して、携帯用発信器４０が発信する信号を錠用装置１の制御器８が受信すると、制御器８によって駆動部５（いずれも図４参照）が駆動され、係合部７及び該係合部７に係合されたサムターンの摘み部Ｔが開錠方向へ回動されて開錠する。また、携帯用発信器４０を携帯した使用者が錠用装置１が取り付けられた扉Ｄから離隔して、携帯用発信器４０が発信する信号を錠用装置１の制御器８が受信し得なくなると、制御器８によって駆動部５（いずれも図４参照）が逆方向へ駆動され、係合部７及び該係合部７に係合されたサムターンの摘み部Ｔが施錠方向へ回動されて施錠するようになっている。
【００５６】
このように扉Ｄ近傍におけるヒト又は荷物の有無に拘わらず、携帯用発信器４０が発信する信号を錠用装置１の制御器８が受信したか又は受信し得なくなったかによって駆動部５の動作を制御するようになっているため、錠用装置１の誤動作が防止される。
【００５７】
一方、錠用装置１は施錠状態において駆動部５への給電が停止されるようになしてあり、かかる状態にあっては、駆動部５の駆動軸６は外力によって正逆回動され得るため、扉Ｄ外側のノブに設けられた鍵穴に差し込んだ鍵を回動させる施錠及び開錠操作の実施を錠用装置１が妨げない。これによって、例えば使用者が外出先に携帯用発信器を忘れてきた場合、又は携帯用発信器を紛失した場合等、使用者が携帯用発信器を携帯していない場合であっても、鍵によってノブの錠を開閉操作することができる。
【００５８】
ところで、錠用装置１の筐体２のハンドル部４を操作することによって、該筐体２の取付け部３を外嵌固定させたノブＮを回動させる。老人及び子供等、握力が弱い者にあってはノブＮを回動させることが困難な場合があるが、前述したように錠用装置１の筐体２は外観視がＬ字状になしてあり、この筐体２のハンドル部４を操作することによって取付け部３を外嵌固定させたノブＮを梃子の原理を利用して回動させることができるため、握力が弱い者であってもノブＮを容易に回動させることができる。
【００５９】
なお、本発明を実施するための形態では外観視がＬ字状になした筐体２を適用した場合について説明したが、本発明はこれに限らず、直円筒状の筐体を適用してもよい。また、本発明を実施するための形態では筐体２の取付け部３の外径とハンドル部４の外径とを同じ寸法になしてあるが、本発明はこれに限らず、両寸法を異ならせてもよいことはいうまでもない。この場合、筐体２の取付け部３の外径寸法よりハンドル部４の外径寸法を小さくすることによって、使用者がハンドル部４を把持し易くすることができるので好適である。更に、制御器８及び電源部９を取付け部３内に配設して、中実な部材にてハンドル部４を構成してもよい。この場合、一端を塞止した筒状の筐体の周面に棒状のハンドル部を設けた構成にすることもできる。
【００６０】
図５は制御器８の機能を説明する機能ブロック図である。
図５に示したように、制御器８は、前述した携帯用発信器４０（図６参照）が発信する信号を受信するための受信部８１、情報及び指令等を記憶するメモリ８３、及び駆動部５の動作を制御するＣＰＵ８４（制御部）を備えており、受信部８１は受信した信号をＣＰＵ８４に与える。なお、前記メモリ８３には前述した携帯用発信器４０に設定された識別情報が予め与えられるようになっている。
【００６１】
また、制御器８には前述した開錠用ボタン１７及び施錠用ボタン１８からの信号が入力される入力部８２が設けてあり、入力部８２は開錠用ボタン１７又は施錠用ボタン１８から開錠信号又は施錠信号が与えられた場合、ＣＰＵ８４に当該信号を与えるようになっている。更に、制御器８には、前記電源部９と駆動部５との間に介装されたオン／オフスイッチ回路といった給電制御部８５が設けてあり、給電制御部８５は前記電源部９から与えられる電力の駆動部５への供給の開始・停止を制御するようになっている。また、制御器８は前述した駆動部５の動作を制御すべく制御信号を駆動部５へ出力するための出力部８６、及び音及び／又は光で警報を出力する警報部８７を具備している。
【００６２】
なお、図５に示した構成では制御器８に給電制御部８５を配設した場合について示したが、給電制御部８５は電源部９と駆動部５との間の適宜位置に配設することができる。
【００６３】
ＣＰＵ８４は、受信部８１又は入力部８２から信号が与えられたか否かを適宜間隔で判断しており、受信部から信号が与えられたと判断した場合、与えられた信号に係る情報がメモリ８３に記憶された識別情報と同じであるか否かを判断し、両者が同じである場合、給電制御部８５に駆動部５（図２参照）への給電を開始させた後、駆動部５を所定角度まで正回動させる制御信号を出力部８６から駆動部５へ出力させる。
【００６４】
これによって、駆動部５の駆動軸６とともに係合部７が正回動され、該係合部７が係合したサムターンの摘み部Ｔも正回動して扉Ｄが開錠される（いずれも図６参照）。このように、後述する携帯用発信器４０から発信される識別情報を制御器８の受信部８１が受信したときに、駆動部５が駆動して、ノブＮに本錠用装置１が取り付けられた扉Ｄが開錠されるため、携帯用発信器４０を携帯した使用者がノブＮに接近するだけで、サムターンの摘み部Ｔ又は鍵による操作を行うことなく開錠することができる。
【００６５】
続いて、ＣＰＵ８４は、受信部８１から識別情報に係る信号が与えられなくなるまで待機し、識別情報に係る信号が与えられなくなってから所定時間経過した後、駆動部５を所定角度まで逆回動させる制御信号を出力部８６から駆動部５へ出力させる。これによって、駆動部５の駆動軸６とともに係合部７が逆回動され、該係合部７が係合したサムターンの摘み部Ｔも逆回動して扉Ｄが施錠される（いずれも図６参照）。
【００６６】
このように、受信部８１に識別情報に係る信号が与えられなくなると、駆動部５が駆動してノブＮに本錠用装置１が取り付けられた扉Ｄが施錠されるため、外出する使用者による施錠忘れが防止される。
【００６７】
その後、ＣＰＵ８４は給電制御部８５に駆動部５への給電を停止させる。このように駆動部５への給電を停止することによって、駆動軸６に外力を与えて当該駆動軸６を容易に回動させることができるため、ノブの鍵穴に挿入した鍵によってノブに錠を開閉操作することができる。これによって、例えば使用者が外出先に携帯用発信器４０を忘れてきた場合、又は携帯用発信器４０を紛失した場合等、使用者が携帯用発信器４０を携帯していない場合であっても、鍵によって錠を開閉操作することができる。また、施錠状態では駆動部５への給電を停止するため、電源部９の電力消耗を可及的に防止することができる。
【００６８】
一方、使用者が携帯用発信器４０を本錠用装置１が取り付けられたノブＮの近傍に置き忘れたといった場合、扉Ｄが開錠されたままの状態になっている。そのため、ＣＰＵ８４は受信部８１から識別情報に係る信号が与えられ続ける状況が所定時間を超えた場合、警報部８７に警報を出力させるようになっている。
【００６９】
使用者によって携帯用発信器４０が錠用装置１から所定距離だけ遠ざけられると、受信部８１から識別情報に係る信号が与えられなくなるため、ＣＰＵ８４は、警報部８７に警報の出力を停止させるとともに、前同様、駆動部５を所定角度まで逆回動させる制御信号を出力部８６から駆動部５へ出力させて、扉Ｄを施錠させた後、給電制御部８５に駆動部５への給電を停止させる。前述したように使用者のうっかりミスによって、扉Ｄが開錠されたままの状態になっている場合であっても、警報を出力することによって施錠が促されるため、防犯上好ましい。
【００７０】
一方、ＣＰＵ８４は、適宜の間隔で、入力部８２から信号が与えられたか否かを判断しており、入力部８２から信号が与えられたと判断した場合、以下の割り込み処理を実施する。すなわち、ＣＰＵ８４は、与えられた信号が入力部８２からの施錠信号であった場合、駆動部５を所定角度まで逆回動させる制御信号を出力部８６から駆動部５へ出力させる。このように、施錠用ボタン１８（図２参照）を使用者が操作するだけで、駆動部５を作動させて施錠することができるため、携帯用発信器４０を携帯した使用者が本錠用装置１の近傍に位置する場合でも施錠することができる。これによって、携帯用発信器４０を携帯した使用者が帰宅入室直後に強制的に施錠することができ、使用者に追従する第三者による侵入を可及的に防止することができる。
【００７１】
一方、ＣＰＵ８４は、与えられた信号が入力部８２からの開錠信号であった場合、駆動部５を所定角度まで正回動させる制御信号を出力部８６から駆動部５へ出力させる。このように、開錠用ボタン１７（図２参照）を使用者が操作するだけで、駆動部５を作動させて開錠することができるため、火事又は地震等の発生によって室外へ緊急避難する必要がある場合に、使用者は携帯用発信器４０を携帯することなく開錠することができ、室外へ素早く避難することができる。
【００７２】
図７から図１０は、図５に示したＣＰＵ８４の制御手順を示すフローチャートである。
ＣＰＵ８４は、入力部８２から信号が与えられたか否かを適宜間隔で判断しており（ステップＳ１）、入力部８２から信号が与えられたと判断した場合、後述する割り込み処理を実施する（ステップＳ３０）。
【００７３】
ＣＰＵ８４は、ステップＳ１で入力部８２から信号が与えられてないと判断した場合、受信部８１から信号が与えられたか否かを判断し（ステップＳ２）、当該信号が与えられた場合、与えられた信号に係る情報をメモリ８３の所定領域に一時記憶させた（ステップＳ３）後、当該情報が予め記憶された識別情報と同じであるか否かを判断する（ステップＳ４）。ＣＰＵ８４は、両者が同じである場合、給電制御部８５に駆動部５（図２及び図５参照）への給電を開始させた（ステップＳ５）後、駆動部５を所定角度まで正回動させる開錠指令を出力部８６から駆動部５へ出力させる（ステップＳ６）。これによって、駆動部５が駆動軸６及び係合部７並びに係合部７に係合したサムターンの摘み部Ｔを正回動させて、扉Ｄが開錠される（いずれも図６参照）。
【００７４】
一方、ＣＰＵ８４は、ステップＳ２又はステップＳ４で否と判断すると、ステップＳ１へ戻って、再び入力部８２から信号が与えられたか否かを判断する。
【００７５】
次に、ＣＰＵ８４は、入力部８２から信号が与えられたか否かを判断し（ステップＳ７）、入力部８２から信号が与えられたと判断した場合、割り込み処理を実施する（ステップＳ３０）。これによって、後述するように強制的に開錠し又は施錠する操作を任意のタイミングで実行することができる。
【００７６】
ステップＳ７で入力部８２から信号が与えられていない場合、ＣＰＵ８４は、受信部８１から信号が与えられたか否かを判断し（ステップＳ８）、当該信号が与えられた場合、与えられた信号に係る情報をメモリ８３の所定領域に一時記憶させた（ステップＳ９）後、当該情報がメモリ８３に予め記憶された識別情報と同じであるか否かを判断する（ステップＳ１０）。
【００７７】
ＣＰＵ８４は、ステップ８で受信部８１から信号が与えられていないと判断した場合、又はステップＳ１０で当該情報がメモリ８３に記憶された識別情報と同じでないと判断した場合、計時を開始し（ステップＳ１１）、計時を開始してから所定時間経過したか否かを判断する（ステップＳ１２）。ＣＰＵ８４は、計時を開始してから所定時間経過したと判断するまでステップＳ１１及び〜ステップＳ１２の操作を繰り返し、所定時間経過したとき、出力部８６から警報部８７へ警報停止指令を出力する（ステップＳ１３）とともに、駆動部５を所定角度まで逆回動させる施錠指令を出力部８６から駆動部５へ
出力させる（ステップＳ１４）。これによって、駆動部５が駆動軸６及び係合部７並びに係合部７に係合したサムターンの摘み部Ｔを逆回動させて、扉Ｄが施錠される（いずれも図６参照）。
【００７８】
このように、受信部８１に識別情報に係る信号が与えられなくなると、駆動部５が駆動してノブＮに本錠用装置１が取り付けられた扉Ｄが施錠されるため、外出する使用者による施錠忘れが防止される。
【００７９】
そして、ＣＰＵ８４は、給電制御部８５に駆動部５（図２及び図５参照）への給電を停止させる（ステップＳ１５）。このように駆動部５への給電を停止することによって、駆動軸６に外力を与えて当該駆動軸６を容易に回動させることができるため、ノブの鍵穴に挿入した鍵によって扉Ｄの錠を開閉操作することができる。また、施錠状態では駆動部５への給電を停止するため、電源部９の電力消耗を可及的に防止することができる。
【００８０】
一方、ステップＳ１０において一時記憶させた情報がメモリ８３に記憶された識別情報と同じである場合、錠用装置が取り付けられたノブの近傍に携帯用発信器４０が置き忘れられた状態であるので、ＣＰＵ８４は計時を開始する（ステップＳ２０）。ＣＰＵ８４は、計時を開始してから所定時間経過したか否かを判断し（ステップＳ２１）、所定時間経過したと判断するまでステップＳ８〜ステップＳ２１までの操作を繰り返す。そして、所定時間経過したとき、ＣＰＵ８４は警報部８７に警報を出力させ（ステップＳ２２）て、ステップＳ８へ戻る。
【００８１】
使用者によって携帯用発信器４０が錠用装置１から所定距離だけ遠ざけられると、受信部８１から識別情報に係る信号が与えられなくなるため、ＣＰＵ８４は、前述したようにステップＳ８〜ステップＳ１５までの動作を実行して、警報部８７に警報の出力を停止させるとともに、施錠指令を出力部８６から駆動部５へ出力させて、扉Ｄを施錠させた後、給電制御部８５に駆動部５への給電を停止させる。
【００８２】
これによって、錠用装置１が取り付けられたノブＮの近傍に携帯用発信器４０が置き忘れられることによって、ノブが開錠されたままの状態になっている場合であっても警報が出力されるため、使用者による施錠が促される。
【００８３】
一方、ＣＰＵ８４は、ステップＳ１又はステップＳ７において、入力部８２から信号が与えられたと判断した場合、図１０に示した割り込み処理を実施する。
【００８４】
ＣＰＵ８４は、給電制御部８５に駆動部５（図２及び図５参照）への給電を開始させた（ステップＳ３０１）後、入力部８２から与えられた信号が施錠信号であるか否かを判断し（ステップＳ３０２）、施錠信号である場合、施錠指令を出力部８６から駆動部５へ出力させて（ステップＳ３０３）、扉Ｄを施錠させた後、給電制御部８５に駆動部５への給電を停止させる（ステップＳ３０４）。
【００８５】
このように、施錠用ボタン１８（図２参照）を使用者が操作するだけで、駆動部５を作動させて施錠することができるため、携帯用発信器４０を携帯した使用者が本錠用装置１の近傍に位置する場合でも施錠することができる。これによって、携帯用発信器４０を携帯した使用者が帰宅入室直後に強制的に施錠することができ、使用者に追従する第三者による侵入を可及的に防止することができる。
【００８６】
次に、ＣＰＵ８４は、入力部８２から信号が与えられるまで待機し（ステップＳ３０５）、入力部８２から信号が与えられたと判断した場合、給電制御部８５に駆動部５（図２及び図５参照）への給電を開始させた（ステップＳ３０６）後、入力部８２から与えられた信号が開錠信号であるか否かを判断する（ステップＳ３０７）。ＣＰＵ８４は、ステップＳ３０７で開錠信号でないと判断した場合、開錠用ボタン１７への操作ではなく、施錠用ボタン１８への誤操作であることを報知させるべく、警報部８７から警報を出力させ（ステップＳ３０８）て、ステップＳ３０５へ戻る。なお、ステップＳ３０８による警報は前述したステップＳ２２による警報と異ならせおくと、使用者が認識し易いため好適である。
【００８７】
一方、ステップＳ３０７で開錠信号である場合、警報部８７からの警報の出力を停止させた（ステップＳ３１１）後、ＣＰＵ８４は開錠指令を出力部８６から駆動部５へ出力させて（ステップＳ３１２）、扉Ｄを開錠させた後、給電制御部８５に駆動部５への給電を停止させる（ステップＳ３１４）。これによって、施錠用ボタン１８が操作されて実行された割込み処理がリセットされる。
【００８８】
このように、施錠用ボタン１８が操作されて実行された割込み処理は、開錠用ボタン１７が操作されることによってリセットされるようになっているため、ノブＮに取り付けられた錠用装置１の近傍に携帯用発信器４０を携帯する使用者が存在し続けた場合であっても、施錠用ボタン１８の操作による施錠状態が解除されること、すなわち開錠されることが回避される。
【００８９】
一方、ステップＳ３０２において与えられた信号が入力部８２からの施錠信号でない場合、ＣＰＵ８４は、当該信号が開錠信号であるか否かを判断し（ステップＳ３２０）、開錠信号であると判断した場合、駆動部５を所定角度まで正回動させる開錠指令を出力部８６から駆動部５へ出力させた（ステップＳ３２１）後、ステップＳ３１４へ移って給電制御部８５に駆動部５への給電を停止させる。
【００９０】
このように、開錠用ボタン１７（図２参照）を使用者が操作するだけで、駆動部５を作動させて開錠することができるため、火事又は地震等の発生によって室外へ緊急避難する必要がある場合に、使用者は携帯用発信器４０を携帯することなく開錠することができ、室外へ素早く避難することができる。
【００９１】
一方、ＣＰＵ８４は、ステップＳ３２０において入力部８２から与えられた信号が開錠信号でないと判断した場合、何らかの誤信号であるため、ステップＳ３２１をスキップしてステップＳ３１４へ移り、給電制御部８５に駆動部５への給電を停止させる。
【符号の説明】
【００９２】
１    錠用装置
２    筐体
３    取付け部
４    ハンドル部
５    駆動部
６    駆動軸
７    係合部
８    制御器
９    電源部
１６    固定用部材
１７    開錠用ボタン
１８    施錠用ボタン
４０    携帯用発信器
８１    受信部
８２    入力部
８４    ＣＰＵ（制御部）
８５    給電制御部
Ｄ    扉
Ｎ    ノブ
Ｔ    摘み部
【要約】
【課題】  不慣れな者であっても容易に取り付けることができ、また誤動作を防止することができる錠用装置及び錠用装置セットを提供する。
【解決手段】  ノブに固定される筐体２と、筐体２に内蔵され、サムターンを構成する摘み部に係合する係合部と、係合部を正逆回動させる駆動部と、駆動部の回動動作を制御する制御部と、制御部及び駆動部に給電する電源部と、無線の信号を受信する受信部とを備え、制御部は、受信部によって受信された信号に予め設定された識別情報が含まれている場合、駆動部にて係合部を錠が開く方向へ回動させ、その後、識別情報が含まれる信号が受信部によって受信されなくなった場合、駆動部にて係合部を錠が閉まる方向へ回動させるようになっている。
【選択図】  図１【図１】
0005789066.tif 000002
【図２】
0005789066.tif 000003
【図３】
0005789066.tif 000004
【図４】
0005789066.tif 000005
【図５】
0005789066.tif 000006
【図６】
0005789066.tif 000007
【図７】
0005789066.tif 000008
【図８】
0005789066.tif 000009
【図９】
0005789066.tif 000010
【図１０】
0005789066.tif 000011
【図１１】
0005789066.tif 000012